(57)【要約】      （修正有）【課題】需要家施設での電力の使用状況に関する電力情報の表示を、より有効に活用できる情報端末装置の制御方法、プログラム及び表示システムを提供する。【解決手段】需要家施設５における複数の分岐回路の各々について、消費電力と消費電力量との少なくとも一方を計測値として計測する計測システム２０から計測値を取得可能に構成された情報端末装置１の制御方法である。需要家施設５の使用者の状態に関して判定システム（サーバ装置３０）で判定された判定結果を表す判定情報を表示部１１の通知画面に表示させる。さらに、通知画面に、複数の分岐回路のうちの少なくとも１つの分岐回路からなる特定回路について、計測値の時系列データからなる電力情報を判定情報と併せて表示させるように情報端末装置１を制御する。【選択図】図１
2016177494.tif 000002
【特許請求の範囲】
【請求項１】
需要家施設における複数の分岐回路の各々について、消費電力と消費電力量との少なくとも一方を計測値として計測する計測システムから前記計測値を取得可能に構成された情報端末装置の制御方法であって、
前記需要家施設の使用者の状態に関して判定システムで判定された判定結果を表す判定情報を表示部の通知画面に表示させ、
前記通知画面に、前記複数の分岐回路のうちの少なくとも１つの分岐回路からなる特定回路について、前記計測値の時系列データからなる電力情報を前記判定情報と併せて表示させるように
前記情報端末装置を制御する
ことを特徴とする情報端末装置の制御方法。
【請求項２】
前記情報端末装置は、前記通知画面を表示する前記表示部を備えている
ことを特徴とする請求項１に記載の情報端末装置の制御方法。
【請求項３】
前記判定情報は、前記複数の分岐回路のうちの少なくとも１つの分岐回路からなる判定用回路についての前記計測値の時間経過に伴う変化に基づいて前記判定システムで判定された判定結果を表しており、
前記特定回路は、前記判定用回路と少なくとも一部が重複している
ことを特徴とする請求項１または２に記載の情報端末装置の制御方法。
【請求項４】
前記判定情報は、前記需要家施設の使用者の異常の有無の判定結果を表す情報である
ことを特徴とする請求項３に記載の情報端末装置の制御方法。
【請求項５】
前記判定情報が前記異常の発生を表している場合には、特定の連絡先に対する連絡を促すガイド情報を前記判定情報と併せて前記通知画面に表示させる
ことを特徴とする請求項４に記載の情報端末装置の制御方法。
【請求項６】
前記判定情報は、前記需要家施設の使用者が対象期間において前記需要家施設内に存在するか否かの判定結果を表す情報である
ことを特徴とする請求項３に記載の情報端末装置の制御方法。
【請求項７】
前記判定情報は、入力受付装置に対する前記需要家施設の使用者の操作に基づいて前記判定システムで判定され、前記需要家施設の使用者が睡眠中か否かの判定結果を表す情報である
ことを特徴とする請求項１または２に記載の情報端末装置の制御方法。
【請求項８】
前記判定情報は、前記需要家施設の使用者が睡眠中か否かの判定結果を表す情報である
ことを特徴とする請求項３に記載の情報端末装置の制御方法。
【請求項９】
前記電力情報については、前記判定情報において前記需要家施設の使用者が睡眠中と判定されている睡眠期間と、睡眠中でないと判定されている覚醒期間とで、異なる態様となるように前記通知画面に表示させる
ことを特徴とする請求項７または８に記載の情報端末装置の制御方法。
【請求項１０】
前記電力情報については、第１の軸を時刻とし、第２の軸を前記計測値としたグラフ形式で前記通知画面に表示させる
ことを特徴とする請求項１〜９のいずれか１項に記載の情報端末装置の制御方法。
【請求項１１】
需要家施設における複数の分岐回路の各々について、消費電力と消費電力量との少なくとも一方を計測値として計測する計測システムから前記計測値を取得可能に構成された情報端末装置を、
前記需要家施設の使用者の状態に関して判定システムで判定された判定結果を表す判定情報を表示部の通知画面に表示させ、
前記通知画面に、前記複数の分岐回路のうちの少なくとも１つの分岐回路からなる特定回路について、前記計測値の時系列データからなる電力情報を前記判定情報と併せて表示させる表示制御部
として機能させるためのプログラム。
【請求項１２】
需要家施設における複数の分岐回路の各々について、消費電力と消費電力量との少なくとも一方を計測値として計測する計測システムから前記計測値を取得可能に構成された表示制御部と、
前記表示制御部にて制御される表示部とを備え、
前記表示制御部は、
前記需要家施設の使用者の状態に関して判定システムで判定された判定結果を表す判定情報を前記表示部の通知画面に表示させ、
前記通知画面に、前記複数の分岐回路のうちの少なくとも１つの分岐回路からなる特定回路について、前記計測値の時系列データからなる電力情報を前記判定情報と併せて表示させる
ことを特徴とする表示システム。
【発明の詳細な説明】
【技術分野】
【０００１】
本発明は、一般に情報端末装置の制御方法、プログラム、および表示システムに関し、より詳細には計測システムから計測値を取得可能に構成された情報端末装置の制御方法、プログラム、および表示システムに関する。
【背景技術】
【０００２】
従来、需要家施設の消費電力量を示す使用量データを、表示装置に表示する表示システムが知られている（たとえば特許文献１参照）。
【０００３】
特許文献１に記載の（電力計量器検針・）表示システムは、電力計量器から送信される消費電力量（電力使用量）に関するデータを、需要家施設（需要家宅）内のパソコン、タブレット、テレビ等の表示装置（屋内表示装置）に表示する。また、特許文献１には、消費電力量を、たとえばエアコン、電気温水器、電子レンジ等の家電製品毎に測定し表示装置に表示すること、さらに、消費電力量の推移を表示装置に表示することが記載されている。このように、表示装置は、需要家施設内において、電力の使用状況をリアルタイムに、かつ詳細に把握できるように表示し、需要家の節電意識を喚起する。
【先行技術文献】
【特許文献】
【０００４】
【特許文献１】特開２０１４−１３００１５号公報
【発明の概要】
【発明が解決しようとする課題】
【０００５】
しかし、上述したような表示システムでは、表示装置は、需要家施設での電力の使用状況に関する電力情報を節電意識の向上のみを目的として表示しており、電力情報の表示を、より有効に活用することが望まれる。
【０００６】
本発明は上記事由に鑑みてなされており、需要家施設での電力の使用状況に関する電力情報の表示を、より有効に活用できる情報端末装置の制御方法、プログラム、および表示システムを提供することを目的とする。
【課題を解決するための手段】
【０００７】
本発明の情報端末装置の制御方法は、需要家施設における複数の分岐回路の各々について、消費電力と消費電力量との少なくとも一方を計測値として計測する計測システムから前記計測値を取得可能に構成された情報端末装置の制御方法であって、前記需要家施設の使用者の状態に関して判定システムで判定された判定結果を表す判定情報を表示部の通知画面に表示させ、前記通知画面に、前記複数の分岐回路のうちの少なくとも１つの分岐回路からなる特定回路について、前記計測値の時系列データからなる電力情報を前記判定情報と併せて表示させるように前記情報端末装置を制御することを特徴とする。
【０００８】
本発明のプログラムは、需要家施設における複数の分岐回路の各々について、消費電力と消費電力量との少なくとも一方を計測値として計測する計測システムから前記計測値を取得可能に構成された情報端末装置を、前記需要家施設の使用者の状態に関して判定システムで判定された判定結果を表す判定情報を表示部の通知画面に表示させ、前記通知画面に、前記複数の分岐回路のうちの少なくとも１つの分岐回路からなる特定回路について、前記計測値の時系列データからなる電力情報を前記判定情報と併せて表示させる表示制御部として機能させるためのプログラムである。
【０００９】
本発明の表示システムは、需要家施設における複数の分岐回路の各々について、消費電力と消費電力量との少なくとも一方を計測値として計測する計測システムから前記計測値を取得可能に構成された表示制御部と、前記表示制御部にて制御される表示部とを備え、前記表示制御部は、前記需要家施設の使用者の状態に関して判定システムで判定された判定結果を表す判定情報を前記表示部の通知画面に表示させ、前記通知画面に、前記複数の分岐回路のうちの少なくとも１つの分岐回路からなる特定回路について、前記計測値の時系列データからなる電力情報を前記判定情報と併せて表示させることを特徴とする。
【発明の効果】
【００１０】
本発明の情報端末装置の制御方法によれば、需要家施設での電力の使用状況に関する電力情報の表示を、より有効に活用できる、という利点がある。
【００１１】
本発明のプログラムによれば、需要家施設での電力の使用状況に関する電力情報の表示を、より有効に活用できる、という利点がある。
【００１２】
本発明の表示システムによれば、需要家施設での電力の使用状況に関する電力情報の表示を、より有効に活用できる、という利点がある。
【図面の簡単な説明】
【００１３】
【図１】実施形態に係る表示システムを含む全体構成を示すシステム構成図である。
【図２】実施形態に係る情報端末装置の概略構成を示すブロック図である。
【図３】実施形態に係る通知画面の一例となる「おやすみチェック」の通知画面の説明図である。
【図４】実施形態に係る通知画面の一例となる「見守りチェック」の通知画面の説明図である。
【図５】実施形態に係る通知画面の一例となる「帰宅チェック」の通知画面の説明図である。
【図６】実施形態に係る通知画面の一例となる「帰宅チェック」の通知画面の説明図である。
【図７】図７Ａおよび図７Ｂは、実施形態に係る電力監視画面の一例を示す説明図である。
【図８】図８Ａおよび図８Ｂは、実施形態に係る回路設定画面の一例を示す説明図である。
【発明を実施するための形態】
【００１４】
（１）全体概要
本実施形態では、需要家施設（facility）における消費電力と消費電力量との少なくとも一方に関する電力情報を表示する機能を、基本的な機能として有する表示システムについて説明する。本実施形態においては、表示システム１０は、図１に示すように表示部１１を備えた情報端末装置１にて構成されている。
【００１５】
情報端末装置１は、図１に示すように、計測システム２０にネットワーク４を介して接続される。計測システム２０は、需要家施設５における複数の分岐回路の各々について、消費電力と消費電力量との少なくとも一方を計測値として計測するシステムである。また、ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設５の一例として説明する。
【００１６】
また、情報端末装置１は、図１に示すように、判定システム３０にネットワーク４を介して接続される。判定システム３０は、需要家施設５の使用者の状態を判定するシステムである。ここでいう「需要家施設５の使用者」は、需要家施設５を使用する人を意味しており、需要家施設５が住宅である本実施形態においては、需要家施設５の住人である。また、ここでいう「使用者の状態」は、たとえば使用者の異常の有無や、使用者が対象期間において需要家施設５内に存在するか否か（在・不在）、使用者が睡眠中か否か等、需要家施設５の使用者の需要家施設５内での現在あるいは過去の状態である。なお、需要家施設５の住人が複数人である場合には、「需要家施設５の使用者」は、複数の住人のうちの一人を指すこともあり、二人以上（全員も含む）を指すこともある。以下では「需要家施設５の使用者」を単に「住人」ともいう。
【００１７】
情報端末装置１は、計測システム２０で計測された計測値を表示部１１に表示させる。これにより、本実施形態の表示システム１０は、情報端末装置１の所有者である顧客に対して、需要家施設５における消費電力と消費電力量との少なくとも一方に関する情報（電力情報）を提示することが可能である。つまり、顧客は、表示部１１に表示される画面を見ることで、視覚的に、需要家施設５での電力の使用状況を確認することができる。
【００１８】
さらに、情報端末装置１は、判定システム３０の判定結果を表す判定情報を、電力情報と共に表示部１１に表示させる。ここでいう「判定情報」は、住人の状態に関して判定システム３０で判定された判定結果を表す情報である。これにより、本実施形態の表示システム１０は、情報端末装置１の所有者である顧客に対して、住人の状態の判定結果を表す情報（判定情報）を提示することが可能である。つまり、顧客は、表示部１１に表示される画面を見ることで、視覚的に、住人の状態を確認することができる。
【００１９】
なお、表示システム１０によるサービスの提供を受ける顧客（情報端末装置１の所有者）は、住人（需要家施設５の使用者）と同一人であってもよく、あるいは、たとえば住人と離れて暮らす親族等、住人とは別人であってもよい。
【００２０】
（２）システム構成
次に、本実施形態に係る表示システム１０、計測システム２０、および判定システム３０の構成について説明する。
【００２１】
（２．１）表示システム
まず、本実施形態の表示システム１０の構成について、図１および図２を参照して説明する。本実施形態では、表示システム１０は、上述したように情報端末装置１にて構成されている。
【００２２】
情報端末装置１は、一例として表示部１１を備えるスマートフォンである。情報端末装置１は、ＣＰＵ（Central Processing Unit）およびメモリを有するコンピュータを主構成としており、ＣＰＵがメモリに格納されているプログラムを実行することにより、コンピュータを表示制御部１２として機能させる。プログラムは、ここではインターネットなどの電気通信回線を通じて、あるいはメモリカードなどの記録媒体に記録されて提供されるが、コンピュータのメモリに予め記録されていてもよい。ここでいう表示制御部１２は、表示部１１に表示させる画面を作成し、表示部１１を制御することにより、作成した画面を表示部１１に表示させる機能を持つ。つまり、スマートフォンからなる情報端末装置１は、専用のアプリケーションソフトをインストールし、このアプリケーションソフトを起動することにより、表示部１１を制御するための表示制御部１２としての機能を実現する。
【００２３】
情報端末装置１は、表示部１１および表示制御部１２の他、通信部１３、入力部１４、および記憶部１５をさらに備えている。
【００２４】
通信部１３は、ネットワーク４に接続されることで、情報端末装置１と計測システム２０および判定システム３０との間の通信を可能にする。ここでは、情報端末装置１はスマートフォンであるから、通信部１３は、通信事業者が提供する携帯電話網（キャリア網）を介して、たとえばインターネットからなるネットワーク４に接続される。携帯電話網には、たとえば３Ｇ（第３世代）回線、ＬＴＥ（Long Term Evolution）回線等がある。なお、通信部１３は、公衆無線ＬＡＮ（Local Area Network）を介してネットワーク４に接続されてもよい。
【００２５】
入力部１４は、顧客（情報端末装置１の所有者）の操作を受け付ける機能を有している。本実施形態では、情報端末装置１はタッチパネルディスプレイを搭載したスマートフォンであり、タッチパネルディスプレイが表示部１１および入力部１４として機能する。そのため、以下の説明では、表示部１１に表示される画面上のアイコンに対する種々のタッチ操作を、「タップ」、「スワイプ」などと表現する。ただし、入力部１４は、タッチパネルディスプレイに限らず、たとえばキーボードやポインティングデバイス、メカニカルなスイッチなどであってもよい。
【００２６】
記憶部１５は、たとえばフラッシュメモリなどの電気的に書換可能な不揮発性の半導体メモリで構成される。
【００２７】
（２．２）計測システム
次に、本実施形態の計測システム２０の構成について説明する。
【００２８】
計測システム２０は、図１に示すように、計測ユニット２１と、通信アダプタ２２と、コントローラ２３と、電流センサ２４，２５とを備えている。このうち、計測ユニット２１、通信アダプタ２２、および電流センサ２４，２５は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００２９】
計測ユニット２１は、電流センサ２４，２５に電気的に接続されている。電流センサ２４は、主幹ブレーカ６１の一次側に設けられ、幹線を流れる電流の値を計測する。電流センサ２５は、複数の分岐ブレーカ６２に対応して設けられ、複数の分岐回路に流れる電流の値をそれぞれ計測する。ここでいう「分岐回路」は、複数の分岐ブレーカ６２にて幹線から分岐された各回路を意味する。「分岐回路」には、分岐ブレーカ６２に接続される配線、照明器具や調理家電、コンセント（アウトレット）、壁スイッチなどを含んでいる。このような分岐回路は、本実施形態のように住宅からなる需要家施設５においては、たとえばリビング、寝室、玄関、トイレ、子供部屋、キッチン等の部屋ごと、かつ照明器具、調理家電、エアコン（エアーコンディショナ）等の負荷の種類ごとに設けられる。
【００３０】
計測ユニット２１は、電流センサ２４，２５の出力を用いて、幹線および複数の分岐回路の各々について、消費電力と消費電力量との少なくとも一方を計測する。通信アダプタ２２は、計測ユニット２１で計測された計測値を、計測システム２０の計測値としてコントローラ２３へ送信する。コントローラ２３は、ルータ７を介してネットワーク４に接続されている。
【００３１】
要するに、計測システム２０の計測値は、需要家施設５における複数の分岐回路の各々について、計測ユニット２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（たとえば１分間）積算した消費電力量であることとする。
【００３２】
（２．３）判定システム
次に、本実施形態の判定システム３０の構成について説明する。
【００３３】
判定システム３０は、図１に示すように、本実施形態ではサーバ装置３にて構成されている。サーバ装置３は、情報端末装置１にネットワーク４を介して接続される。
【００３４】
サーバ装置３は、所定のアルゴリズムに従って住人（需要家施設５の使用者）の状態を判定する。サーバ装置３で判定可能な住人の状態としては様々な項目があるが、本実施形態では、サーバ装置３が判定する判定項目として、「見守りチェック」、「おやすみチェック」、「帰宅チェック」の３項目を例示する。「見守りチェック」は、住人の異常の有無の判定であり、たとえば一人暮らしの高齢者（住人）の状態を遠方の家族（顧客）に通知するために用いられる。「おやすみチェック」は、住人が睡眠中か否かの判定であり、たとえば子供（住人）の就寝を外出先の父親（顧客）に通知するために用いられる。「帰宅チェック」は、住人が対象期間において需要家施設５内に存在するか否かの判定であり、たとえば子供（住人）が帰宅予定期間（対象期間）に帰宅したことを外出先の母親（顧客）に通知するために用いられる。
【００３５】
ところで、本実施形態においては、需要家施設５における複数の分岐回路のうちの少なくとも１つの分岐回路を判定用回路とし、サーバ装置３は、判定用回路についての計測システム２０の計測値の時間変化（時間経過に伴う変化）に基づいて判定を行っている。ここでは、サーバ装置３は、計測システム２０で計測された計測値を一定期間分（たとえば１年分）蓄積する機能を有しており、蓄積した計測値に基づいて住人の状態を判定する。
【００３６】
たとえば「見守りチェック」であれば、サーバ装置３は、「リビング」、「寝室１」、「トイレ」、「キッチン・調理家電」を含む複数の分岐回路からなる判定用回路について、消費電力量の変化が一定期間検出されない場合に異常と判定する。また、「おやすみチェック」であれば、サーバ装置３は、たとえば「子供部屋」の分岐回路からなる判定用回路について、消費電力量が規定値以上低下した場合に、子供が就寝したと判定する。同様に、「帰宅チェック」であれば、サーバ装置３は、たとえば「リビング」、「玄関」を含む複数の分岐回路からなる判定用回路について、消費電力量の変化が生じた場合に、住人が帰宅したと判定する。
【００３７】
また、本実施形態では、サーバ装置３は、ネットワーク４に接続された入力受付装置８に対する住人の操作に基づいて、住人の状態を判定する機能も有している。ここでは、入力受付装置８は、情報端末装置１と同様にタッチパネルディスプレイからなる表示部８１を備えたスマートフォンであって、ルータ７との間でたとえばＷｉ−Ｆｉ（登録商標）に準拠した近距離無線通信の機能を有している。これにより、入力受付装置８は、ルータ７を介してネットワーク４に接続可能となる。たとえば「おやすみチェック」であれば、入力受付装置８の表示部８１に表示される就寝ボタンのアイコンを住人がタップすると、この操作（タップ操作）を受けて、サーバ装置３は、住人が就寝したと判定する。
【００３８】
（２．４）システム間の関連性
以上説明したような構成により、表示システム１０の情報端末装置１は、ネットワーク４を介して、計測システム２０からは計測値を取得し、判定システム３０からは判定結果を取得することが可能である。ただし、本実施形態ではサーバ装置３が計測システム２０の計測値を一定期間分蓄積する機能を有しているので、情報端末装置１は、計測システム２０の計測値を、計測システム２０から直接取得するのではなく、サーバ装置３から取得する。言い換えれば、情報端末装置１は、計測システム２０で計測された計測値を、サーバ装置３を介して取得することになる。その結果、情報端末装置１が計測システム２０および判定システム３０の各々から、別々にデータ（計測値、判定結果）を取得する場合に比べて、情報端末装置１での処理量が低減される。
【００３９】
計測システム２０の計測値については、情報端末装置１は、少なくとも分岐回路ごとに時系列データとして取得する。そして、情報端末装置１は、取得した計測システム２０の計測値および判定システム３０の判定結果を用いて、表示制御部１２にて表示部１１を制御して所望の画面を表示部１１に表示させる。本実施形態では一例として、情報端末装置１は、住人の状態の判定結果については判定システム３０からのプッシュ通知を受けて取得し、判定結果を受けた状態で、所定の操作がされることにより計測システム２０の計測値を取得する。ただし、情報端末装置１がこれらのデータ（計測値、判定結果）を取得するトリガは、たとえば判定システム３０からのプッシュ通知であってもよいし、情報端末装置１の入力部１４に対する所定の操作であってもよい。
【００４０】
（３）詳細説明
以下、本実施形態に係る情報端末装置１の制御方法について詳しく説明する。ただし、以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００４１】
（３．１）情報端末装置の制御方法
本実施形態に係る情報端末装置１の制御方法は、需要家施設５における複数の分岐回路の各々について、消費電力と消費電力量との少なくとも一方を計測値として計測する計測システム２０から計測値を取得可能に構成された情報端末装置１の制御方法である。この制御方法は、需要家施設５の使用者の状態に関して判定システム３０で判定された判定結果を表す判定情報１０１（図３参照）を表示部１１の通知画面１００（図３参照）に表示させる。さらに、この制御方法は、通知画面１００に、複数の分岐回路のうちの少なくとも１つの分岐回路からなる特定回路について、計測値の時系列データからなる電力情報１０２（図３参照）を判定情報１０１と併せて表示させるように情報端末装置１を制御する。
【００４２】
要するに、本実施形態の情報端末装置１の制御方法は、表示部１１に任意の画面が表示されるように情報端末装置１を制御する方法である。つまり、この制御方法により制御される情報端末装置１は、表示部１１に、たとえば図３に示すような通知画面１００を表示させる。本実施形態では、表示部１１は情報端末装置１に備わっているので、上記の制御方法によれば、情報端末装置１の表示部１１には通知画面１００が表示されることになる。このような制御方法は、本実施形態のようにコンピュータを主構成とする情報端末装置（スマートフォン）１においては、アプリケーションソフトをインストールして、ＣＰＵがプログラムを実行することによって実現される。
【００４３】
この制御方法によれば、表示部１１の通知画面１００には、たとえば図３に示すように、判定情報１０１と電力情報１０２とが併せて表示される。すなわち、通知画面１００には、単に電力情報１０２が表示されるのではなく、住人の状態に関して判定システム３０で判定された判定結果を表す判定情報１０１が、電力情報１０２と一緒に表示される。これにより、顧客（情報端末装置１の所有者）は、表示部１１に表示される通知画面１００を見ることで、需要家施設５に関連する２つの情報（判定情報１０１および電力情報１０２）を視覚的に確認することができる。そして、顧客は、判定情報１０１からは、住人の状態を把握することが可能である。また、顧客は、電力情報１０２からは、電力の需要家施設５での電力の使用状況を把握することが可能であり、たとえば節電意識の向上につながる。
【００４４】
さらに、判定情報１０１と電力情報１０２とが一緒に表示されることで、顧客は、たとえば判定情報１０１の裏付けとして電力情報１０２を利用することができる。したがって、本実施形態の情報端末装置１の制御方法によれば、需要家施設５での電力の使用状況に関する電力情報の表示を、より有効に活用できる、という利点がある。
【００４５】
（３．２）通知画面の構成
以下、通知画面１００の構成についてさらに詳しく説明する。
【００４６】
（３．２．１）判定情報
判定情報１０１は、住人の状態に関して、判定システム３０で判定された判定結果を表す情報である。すなわち、判定情報１０１は、たとえば住人の異常の有無や、住人が対象期間において需要家施設５内に存在するか否か、住人が睡眠中か否か等、住人の、需要家施設５内での現在あるいは過去の状態に関する判定結果を表す。
【００４７】
本実施形態では、複数の判定項目について判定システム３０にて判定がなされており、判定情報１０１は、判定項目ごとに表示される。本実施形態では、判定項目として、上述した「見守りチェック」、「おやすみチェック」、「帰宅チェック」の３項目を例示する。
【００４８】
判定情報１０１は、たとえば図３に示すような形態で通知画面１００に表示される。図３の例では、判定情報１０１は、判定項目を表すタイトル１０６と共にテキスト形式で表示される。図３では、「おやすみチェック」というタイトル１０６と、「２０：４２  ＸＸが寝ました。」という判定情報１０１とが表示されている。つまり、この通知画面１００は、「おやすみチェック」という判定項目について、「２０：４２  ＸＸが寝ました。」という判定結果であったことを表している。
【００４９】
本実施形態では、通知画面１００は、表示部１１の表示エリアの長手方向を縦とするように、縦向きに表示されている。つまり、通知画面１００は、縦長の画面である。判定情報１０１は、通知画面１００における電力情報１０２の上方に表示される。さらに、タイトル１０６は、通知画面１００における判定情報１０１の上方に表示される。
【００５０】
（３．２．２）電力情報
電力情報１０２は、需要家施設５の複数の分岐回路のうちの少なくとも１つの分岐回路からなる特定回路についての、計測システム２０の計測値の時系列データである。
【００５１】
電力情報１０２は、たとえば図３に示すような形態で通知画面１００に表示される。図３の例では、電力情報１０２は、「リビング」、「寝室１」、「子供部屋」、「キッチン・調理家電」の４つの分岐回路を特定回路とし、これら特定回路の計測値の時系列データを表している。電力情報１０２は、第１の軸（横軸）を時刻とし、第２の軸（縦軸）を計測値としたグラフ形式で表示される。要するに、電力情報１０２は、複数の特定回路の各々について、計測システム２０で計測された計測値の時系列データを、グラフＧ１〜Ｇ４にして表した情報である。
【００５２】
電力情報１０２は、通知画面１００の略下半分の範囲に表示される。さらに、「リビング」、「寝室１」、「子供部屋」、「キッチン・調理家電」の４つの特定回路にそれぞれ対応するグラフＧ１〜Ｇ４は、通知画面１００の縦方向（長手方向）に並べて表示される。図３の例では、上から「リビング」に対応するグラフＧ１、「寝室１」に対応するグラフＧ２、「子供部屋」に対応するグラフＧ３、「キッチン・調理家電」に対応するグラフＧ４の順に並んでいる。
【００５３】
また、電力情報１０２は、第２の軸については目盛が付されていない。これにより、第２の軸に表示される計測値については、時間経過に伴う相対的な変化のみが示されることとなり、その絶対値までは示されない。一方、第１の軸、つまり時間軸については時刻を表す目盛が付されている。ここでは一例として、第１の軸には１０分刻みで目盛が付されている。そのため、電力情報１０２からは、たとえば「２０：００」の時点、「２１：２０」の時点というように、所定の時刻における計測値が把握可能である。通知画面１００の横方向における第１の軸の目盛の位置は、全てのグラフＧ１〜Ｇ４で揃っている。電力情報１０２における時刻は、情報端末装置１が計測値を取得した時刻ではなく、計測システム２０で計測値が計測された時刻である。なお、図３の例においては、電力情報１０２は日付（１０月１０日の場合は「１０／１０」）の表記も含んでいる。
【００５４】
ところで、実際には、計測値はある程度の時間間隔をおいて計測される値である。とくに本実施形態では、計測値は、上述のように消費電力を一定時間積算した消費電力量であるから、少なくとも該一定時間の間隔をおいて計測されることになる。したがって、計測値をそのままグラフ化した場合には、グラフＧ１〜Ｇ４においては細かな揺らぎや、急な立ち上がり、立ち下りが生じやすくなる。そこで、本実施形態の情報端末装置１では、計測値に平均化（あるいは平滑化）処理を施した上でグラフ化し、通知画面１００に電力情報１０２として表示している。これにより、図３に示すように、比較的滑らかに変化するグラフＧ１〜Ｇ４が実現される。なお、平均化処理としては、たとえば移動平均など、時系列データを平均化する種々の方法が適用される。
【００５５】
このように、平均化処理が施された計測値を表示することにより、計測値の生データを表示する場合に比べて、グラフＧ１〜Ｇ４において細かな揺らぎや、急な立ち上がり、立ち下りが生じにくい。その結果、顧客にとっては、通知画面１００に表示されている電力情報１０２から、計測値の時間経過に伴う変化の傾向が把握しやすい、という利点がある。
【００５６】
また、電力情報１０２は、第１の軸（時間軸）方向、つまり横方向へスクロール可能である。すなわち、通知画面１００が表示された状態で、通知画面１００のうちの電力情報１０２の表示エリアに対して横方向のスワイプ操作がなされると、このスワイプ操作に従って、電力情報１０２に表示されているグラフＧ１〜Ｇ４が横方向へスクロールする。その結果、電力情報１０２として表示される時間帯がシフトする。ただし、当然ながら現在時刻よりも将来の計測値を表示することはできないので、スクロール可能な範囲の上限（右端）は現在時刻となる。なお、通知画面１００が表示された際に電力情報１０２として最初に表示される時間帯は、現在時刻を含む最新の一定期間となる。あるいは、通知画面１００が表示された際に電力情報１０２として最初に表示される時間帯は、判定情報１０１の判定結果が得られた判定時点を含む一定期間であってもよい。
【００５７】
（３．２．３）その他の表示
通知画面１００の上部（判定情報１０１の上方）には、判定情報１０１として表示する判定項目を選択するための複数のタブ１０３〜１０５が表示されている。タブ１０３は「見守りチェック」に対応し、タブ１０４は「おやすみチェック」に対応し、タブ１０５は「帰宅チェック」に対応する。これら複数のタブ１０３〜１０５は、通知画面１００の横方向に並べて表示されている。複数のタブ１０３〜１０５のうち、判定情報１０１として通知画面１００に表示中の判定項目に対応するタブのみがアクティブになる。
【００５８】
図３の例では、「おやすみチェック」の判定情報１０１が表示されており、「おやすみチェック」に対応するタブ１０４がアクティブになっている。図中、外周が着色（網掛け）されたタブ（図３ではタブ１０４）はアクティブのタブを表している。なお、複数のタブ１０３〜１０５がそれぞれタップされることで、タップされたタブに対応する判定項目の通知画面１００に切り替わる。
【００５９】
また、通知画面１００における判定情報１０１の下方（電力情報１０２の上方）には、解除ボタン１０７が表示されている。解除ボタン１０７は、「おやすみチェック」に特有の表示であるため、詳しくは下記「（３．３．１）おやすみチェック」の欄で説明する。
【００６０】
（３．３）通知画面の具体例
次に、「おやすみチェック」、「見守りチェック」、「帰宅チェック」のそれぞれの判定結果を表示している場合を例に、通知画面１００の具体例を説明する。
【００６１】
（３．３．１）おやすみチェック
図３は、「おやすみチェック」の判定情報１０１が表示された状態の通知画面１００を表している。この通知画面１００では、タイトル１０６としては「おやすみチェック」が表示される。
【００６２】
図３の例において、判定情報１０１は、上述したように「２０：４２  ＸＸが寝ました。」という判定結果をテキスト形式で表している。つまり、この判定情報１０１は、住人である「ＸＸ」が、２０：４２に就寝したことを表している。言い換えれば、この判定情報１０１は、住人が、２０：４２以前は覚醒中であって（睡眠中でなく）、２０：４２以降は睡眠中である、との判定結果を表している。このような通知画面１００によれば、たとえば子供（住人）の就寝を、外出先の父親（顧客）が把握する、ということが可能になる。
【００６３】
また、「おやすみチェック」の判定情報１０１が表示されている通知画面１００に特有の表示として、解除ボタン１０７がある。解除ボタン１０７は、住人が睡眠中である、という判定結果を解除するためのアイコンである。そのため、住人が睡眠中である状態で、顧客が通知画面１００上の解除ボタン１０７をタップすることで、判定結果は、住人が覚醒中である（睡眠中でない）という判定結果に切り替わる。
【００６４】
さらに、「おやすみチェック」の判定情報１０１が表示されている通知画面１００に特有の表示として、電力情報１０２中の就寝ライン１０８がある。就寝ライン１０８は、判定情報１０１において住人が睡眠中と判定されている睡眠期間と、睡眠中でないと判定されている覚醒期間との境界を示している。図３の例では、「ＸＸ」が２０：４２に就寝したと判定されているので、就寝ライン１０８は、２０：４２の位置に表示されている。そして、図３の例では、就寝ライン１０８以降の期間、つまり判定情報１０１において住人が睡眠中と判定されている睡眠期間については、網掛表示（図３ではハッチングで示す）とする。
【００６５】
要するに、電力情報１０２については、判定情報１０１において住人が睡眠中と判定されている睡眠期間と、睡眠中でないと判定されている覚醒期間とで、異なる態様となるように通知画面１００が表示されている。これにより、顧客は、住人が寝ている睡眠期間、住人が起きている覚醒期間を、電力情報１０２上で容易に区別して把握できる。
【００６６】
（３．３．２）見守りチェック
図４は、「見守りチェック」の判定情報１０１が表示された状態の通知画面１００を表している。この通知画面では、タイトル１０６としては「見守りチェック」が表示される。
【００６７】
図４の例において、判定情報１０１は、「活動が確認できません。」という判定結果を、テキスト形式で表している。つまり、この判定情報１０１は、住人の活動が確認できないことを表している。言い換えれば、この判定情報１０１は、住人が正常に活動していない、つまり使用者の異常が生じている、との判定結果を表している。このような通知画面１００によれば、たとえば一人暮らしの高齢者（住人）の状態を、遠方の家族（顧客）が把握する、ということが可能になる。
【００６８】
また、「見守りチェック」の判定情報１０１が表示されている通知画面１００に特有の表示として、第１連絡先ボタン１０９および第２連絡先ボタン１１０がある。第１連絡先ボタン１０９および第２連絡先ボタン１１０は、判定情報１０１が住人の異常の発生を表している場合に表示され、特定の連絡先へ発呼するためのアイコンである。ここでは、第１連絡先ボタン１０９はサービス会社へ発呼するためのアイコン、第２連絡先ボタン１１０は登録されている任意の連絡先へ発呼するためのアイコンを兼ねている。そのため、住人に異常が生じている状態で、顧客が通知画面１００上の第１連絡先ボタン１０９をタップすることで、情報端末装置１はサービス会社へ発呼する。同様に、顧客が通知画面１００上の第２連絡先ボタン１１０をタップすれば、情報端末装置１は任意の連絡先へ発呼する。すなわち、第１連絡先ボタン１０９および第２連絡先ボタン１１０は、特定の連絡先に対する連絡を促すためのガイド情報である。なお、ここでいうサービス会社は、たとえば需要家施設５への訪問サービスや、ホームセキュリティサービス（警備サービス）等を提供している会社である。
【００６９】
（３．３．３）帰宅チェック
図５および図６は、「帰宅チェック」の判定情報１０１が表示された状態の通知画面１００を表している。この通知画面では、タイトル１０６としては「帰宅チェック」が表示される。
【００７０】
図５の例においては、判定情報１０１は、「まだ帰宅していないようです。」という判定結果を、テキスト形式で表している。つまり、この判定情報１０１は、住人が外出先から帰宅していないことを表している。一方、図６の例においては、判定情報１０１は、「１７：２５  帰宅しました。」という判定結果を、テキスト形式で表している。つまり、この判定情報１０１は、住人が１７：２５に外出先から帰宅したことを表している。ここで、判定情報１０１は、現在の需要家施設５の住人の在・不在ではなく、予め定められている帰宅予定期間（対象期間）における住人の帰宅の有無の判定結果である。言い換えれば、判定情報１０１は、住人が対象期間において需要家施設５内に存在するか否かの判定結果を表している。このような通知画面１００によれば、たとえば子供（住人）が帰宅したことを、外出先の母親（顧客）が把握する、ということが可能になる。
【００７１】
また、「帰宅チェック」の判定情報１０１が表示されている通知画面１００に特有の表示として、設定されている帰宅予定時刻を表す予定時刻表示１１１がある。図５および図６の例では、予定時刻表示１１１は「帰宅予定時刻  １５：００〜１８：００」という内容を、テキスト形式で表している。つまり、この予定時刻表示１１１は、帰宅予定時刻が１５：００から１８：００の間に設定されていることを表している。ただし、帰宅予定時刻は、開始時刻（第１の所定時刻）と終了時刻（第２の所定時刻）との２つの時刻で規定される期間に限らず、１つの時刻で規定されていてもよい。この場合、たとえば１５：００が帰宅予定時刻として設定されていれば、予定時刻表示１１１は「帰宅予定時刻  １５：００」という内容の表示になる。
【００７２】
（３．４）判定情報と電力情報との関係
ところで、判定情報１０１は、複数の分岐回路のうちの少なくとも１つの分岐回路からなる判定用回路についての計測値の時間経過に伴う変化に基づいて、判定システム３０で判定された判定結果を表している。そして、特定回路は、判定用回路と少なくとも一部が重複している。すなわち、本実施形態では、上述したように判定システム３０が、少なくとも１つの分岐回路からなる判定用回路についての計測値の時間変化（時間経過に伴う変化）から、住人の状態を判定している。そこで、判定情報１０１の判定の基礎となった判定用回路の少なくとも一部を、特定回路として電力情報１０２に含めて表示することで、通知画面１００を見た顧客が、判定情報１０１の確からしさを確認できるようにする。
【００７３】
たとえば、「おやすみチェック」においては、複数の分岐回路のうち「子供部屋」が判定用回路に含まれている。そのため、「おやすみチェック」の判定情報１０１を含む通知画面１００においては、図３に示すように、電力情報１０２に「子供部屋」の計測値の時系列データであるグラフＧ３が表示されている。これにより、「おやすみチェック」の判定情報１０１を見た顧客は、この判定の基礎となった「子供部屋」の計測値の時間経過に伴う変化を、同じ通知画面１００上で確認することができる。
【００７４】
一方、「見守りチェック」においては、複数の分岐回路のうち「リビング」、「寝室１」、「トイレ」、「キッチン・調理家電」などが判定用回路に含まれている。そのため、「見守りチェック」の判定情報１０１を含む通知画面１００においては、図４に示すように、電力情報１０２に「リビング」、「寝室１」、「トイレ」、「キッチン・調理家電」の計測値のグラフＧ１，Ｇ２，Ｇ５，Ｇ４が表示されている。これにより、「見守りチェック」の判定情報１０１を見た顧客は、この判定の基礎となった「リビング」、「寝室１」、「トイレ」、「キッチン・調理家電」の計測値の時間経過に伴う変化を、同じ通知画面１００上で確認することができる。
【００７５】
また、「帰宅チェック」においては、複数の分岐回路のうち「リビング」、「玄関」、「子供部屋」、「キッチン・調理家電」などが判定用回路に含まれている。そのため、「見守りチェック」の判定情報１０１を含む通知画面１００においては、図５および図６に示すように、電力情報１０２に「リビング」、「玄関」、「子供部屋」、「キッチン・調理家電」の計測値のグラフＧ１，Ｇ６，Ｇ３，Ｇ４が表示されている。これにより、「見守りチェック」の判定情報１０１を見た顧客は、この判定の基礎となった「リビング」、「玄関」、「子供部屋」、「キッチン・調理家電」の計測値の時間経過に伴う変化を、同じ通知画面１００上で確認することができる。
【００７６】
このように、通知画面１００においては、判定情報１０１の判定の基礎となった判定用回路の少なくとも一部が、特定回路として電力情報１０２に含めて表示されることになる。したがって、通知画面１００を見た顧客は、判定システム３０で判定された判定結果が正しいことを、計測システム２０の計測値の時系列データを基に確かめることができる。本実施形態のように、判定項目（「おやすみチェック」、「見守りチェック」、「帰宅チェック」）ごとに判定用回路が設定される場合には、判定情報１０１の判定項目によって、一緒に表示される電力情報１０２に含まれる特定回路が異なることになる。
【００７７】
また、複数の分岐回路のうちのいずれの分岐回路を判定用回路とするかを顧客が設定している場合には、判定用回路の設定が適当か否かを、顧客が判断できるという利点もある。すなわち、たとえば判定用回路の設定が適当でないことに起因して、判定システム３０で誤った判定がなされることがある。このような場合に、通知画面１００において、判定の基礎となった判定用回路の計測値の変化が併せて表示されることにより、顧客は、判定用回路の設定が適当でないことを把握でき、適当な判定用回路に設定し直すことができる。
【００７８】
なお、特定回路は、判定用回路と少なくとも一部が重複していればよく、判定用回路の全てが特定回路として電力情報１０２に含まれることは必須ではない。
【００７９】
ところで、本実施形態においては、電力情報１０２は、上述したように第１の軸（時間軸）方向、つまり横方向へスクロール可能であるが、スクロール可能な範囲は、判定情報１０１の判定項目によって異なることが好ましい。すなわち、判定項目（「おやすみチェック」、「見守りチェック」、「帰宅チェック」）によっては、判定の基礎となる計測値の監視期間が異なるため、判定の基礎となった監視期間の計測値のみを表示すれば足りることがある。このような場合、判定の基礎となった監視期間内でのみ電力情報１０２がスクロール可能であればよく、これにより、情報端末装置１が取得する計測値のデータ量を抑えることができる。
【００８０】
たとえば、「見守りチェック」においては、電力情報１０２のスクロール可能な範囲は、現在時刻（通知画面１００を表示した時刻）から２４時間前までの範囲となる。一方、「帰宅チェック」においては、電力情報１０２のスクロール可能な範囲は、現在時刻（通知画面１００を表示した時刻）から６時間前までの範囲となる。また、「おやすみチェック」の場合、たとえば１８時〜２４時の期間においては、電力情報１０２のスクロール可能な範囲は、１８時〜現在時刻（通知画面１００を表示した時刻）の範囲となる。この場合、２４時以降は、電力情報１０２のスクロール可能な範囲は、１８時〜２４時の範囲に固定され、６時になるとリセット（固定解除）される。
【００８１】
（３．５）通知画面以外の表示
次に、通知画面１００以外の表示部１１の表示について説明する。
【００８２】
（３．５．１）電力監視画面
図７Ａおよび図７Ｂは、表示部１１に表示される電力監視画面２００を表している。
【００８３】
電力監視画面２００は、需要家施設５の複数の分岐回路のうちの少なくとも１つの分岐回路についての、計測システム２０の計測値を表す画面である。電力監視画面２００は、たとえば図７Ａに示すように、「リビング」、「寝室１」、「寝室２」、「キッチン・調理家電」等の各分岐回路に対応する図形群ＤＡ１〜ＤＡ４が表示されている。ここでいう図形群ＤＡ１〜ＤＡ４は、それぞれ同一形状の複数の図形（ここでは円）の集合であって、図７Ａに示す状態（以下「収束状態」という）では、各々の構成要素となる複数の図形が重ねて表示されている。
【００８４】
各図形群ＤＡ１〜ＤＡ４には、対応する分岐回路の名称（「リビング」、「寝室１」など）、および対応する分岐回路の最新の（たとえば１分間の）消費電力量がテキスト形式で重ねて表示されている。ここで、各図形群ＤＡ１〜ＤＡ４における図形の大きさ（面積）は、対応する分岐回路の最新の消費電力量に応じて変化する。さらに、分岐回路での消費電力量が０〔Ｗｈ〕である場合、つまり分岐回路への電力供給が停止している場合には、この分岐回路に対応する図形群ＤＡ１〜ＤＡ４の色が変化する。
【００８５】
一方、図７Ａに示すように収束状態にある図形群ＤＡ１〜ＤＡ４のいずれかがタップされると、タップされた図形群ＤＡ１〜ＤＡ４は展開状態になる。つまり、たとえば図７Ａにおいて図形群ＤＡ１がタップされた場合、図形群ＤＡ１が収束状態から展開状態に切り替わる。展開状態の図形群ＤＡ１は、図７Ｂに示すように、構成要素である複数の図形Ｄ１〜Ｄ６が電力監視画面２００上に拡散されて表示される。展開状態において、図形群ＤＡ１の構成要素となる複数の図形Ｄ１〜Ｄ６は、それぞれ図形群ＤＡ１に対応する分岐回路に含まれる電気機器（負荷）を表している。ここで、展開状態にあっても、同一の図形群ＤＡ１に属する複数の図形Ｄ１〜Ｄ６は、電力監視画面２００上で少なくとも一部が重なるように表示される。つまり、電力監視画面２００において重ねて表示される複数の図形Ｄ１〜Ｄ６は、同一の分岐回路に含まれる電気機器を表すことになる。したがって、電力監視画面２００においては、複数の図形Ｄ１〜Ｄ６で表示される複数の電気機器のいずれが、同一の分岐回路に属するかが把握しやすいという利点がある。
【００８６】
このように、電力監視画面２００においては、図形群ＤＡ１〜ＤＡ４の収束状態、展開状態を切り替えながら、各分岐回路の消費電力量を確認することができるので、顧客は、需要家施設５での電力の使用状況を把握しやすいという利点がある。
【００８７】
ここで、図７Ｂに示すような展開状態の図形群ＤＡ１において、構成要素である複数の図形Ｄ１〜Ｄ６のうちの１つ（ここでは図形Ｄ６）は、新規登録用のアイコンである。新規登録用のアイコン（図形Ｄ６）がタップされると、電力監視画面２００から電気機器の新規登録画面へと切り替わる。新規登録画面では、登録対象となる電気機器の種別（照明器具、テレビ、冷蔵庫、洗濯機等）などが選択され、登録対象の電気機器が図形群ＤＡ１に対応する分岐回路の配下に登録される。
【００８８】
新規登録画面では、分岐回路の配下に電気機器が１台しか登録されていない場合に、他に登録する電気機器の有無を確認するメッセージを表示する。また、新規登録画面では、たとえば洗濯機のように、通常は１つの需要家施設５につき１台となる電気機器が、１つの需要家施設５に対して２台以上登録された場合に、既に登録済みでないかを確認するメッセージを表示する。
【００８９】
なお、電力監視画面２００は、縦方向へスクロール可能である。すなわち、電力監視画面２００が表示された状態で、電力監視画面２００の任意のエリアに対して、縦方向のスワイプ操作がなされると、このスワイプ操作に従って、電力監視画面２００に表示されている図形群ＤＡ１〜ＤＡ４が縦方向へスクロールする。
【００９０】
（３．５．２）回路設定画面
図８Ａおよび図８Ｂは、表示部１１に表示される回路設定画面３００を表している。
【００９１】
回路設定画面３００は、判定システム３０での判定に使用される判定用回路と、通知画面１００に電力情報１０２として表示させる特定回路との少なくとも一方の回路を設定するための画面である。回路設定画面３００は、判定用回路と特定回路とで異なる回路を設定できるように、判定用回路の設定用の回路設定画面３００と、特定回路の設定用の回路設定画面３００とが個別に表示されてもよい。ここでは一例として、判定用回路を設定するための回路設定画面３００について説明する。
【００９２】
回路設定画面３００には、たとえば図８Ａに示すように、「リビング」、「キッチン・調理家電」、「寝室１」、「子供部屋」等の各分岐回路について、判定用回路とするか否かを選択するための回路名３０１および選択ボタン３０２が表示される。回路名３０１と選択ボタン３０２とは一対一に対応しており、選択ボタン３０２がタップされると、この選択ボタン３０２に対応する回路名３０１で示された分岐回路が判定用回路として選択される。この分岐回路は、選択ボタン３０２が再度タップされると、判定用回路から外れる。なお、回路設定画面３００の上部には、設定を保存しないで回路設定画面３００を終了するためのキャンセルボタン３０３、および設定を保存して回路設定画面３００を終了するための保存ボタン３０４が表示されている。
【００９３】
ところで、図８Ａに示すように、回路設定画面３００には、各分岐回路について、計測システム２０の計測値の時系列データを表示させるためのグラフ表示ボタン３０５が表示されている。グラフ表示ボタン３０５は、回路名３０１と一対一に対応しており、グラフ表示ボタン３０５がタップされると、このグラフ表示ボタン３０５に対応する回路名３０１で示された分岐回路の計測システム２０の計測値の時系列データが表示される。
【００９４】
たとえば図８Ａにおいて、「リビング」に対応するグラフ表示ボタン３０５がタップされると、回路設定画面３００においては、図８Ｂに示すように、「リビング」の分岐回路について、計測システム２０の計測値の時系列データがグラフ形式で表示される。図８Ｂの例では、「リビング」に対応するグラフＧ１がグラフ表示領域３０６に表示されている。グラフ表示領域３０６の表示は、通知画面１００における電力情報１０２と同様である。ただし、図８Ｂの例では、第１の軸（時間軸）には３０分刻みで目盛が付されている。なお、図８Ｂに示す回路設定画面３００の上部には、図８Ａに示す回路設定画面３００に戻るための戻るボタン３０７が表示されている。
【００９５】
このように、判定用回路を設定するための回路設定画面３００において、各分岐回路についての計測値の時系列データが表示可能であるので、複数の分岐回路のうちのいずれの分岐回路を判定用回路とするかを顧客が判断しやすくなる。たとえば「見守りチェック」の判定の基礎となる判定用回路を設定する場合、計測値に変化が毎日生じている分岐回路を判定用回路とすることで、判定用回路の計測値に変化が生じなくなった場合に異常と判定することが可能である。
【００９６】
（４）効果
以上説明したように、本実施形態の情報端末装置１の制御方法によれば、表示部１１の通知画面１００には、判定情報１０１と電力情報１０２とが併せて表示される。これにより、顧客（情報端末装置１の所有者）は、表示部１１に表示される通知画面１００を見ることで、需要家施設５に関連する２つの情報（判定情報１０１および電力情報１０２）を視覚的に確認することができる。そして、顧客は、判定情報１０１からは、住人の状態を把握することが可能である。また、顧客は、電力情報１０２からは、電力の需要家施設５での電力の使用状況を把握することが可能であり、たとえば節電意識の向上につながる。
【００９７】
さらに、判定情報１０１と電力情報１０２と一緒に表示されることで、顧客は、たとえば判定情報１０１の裏付けとして電力情報１０２を利用することができる。したがって、本実施形態の情報端末装置１の制御方法によれば、需要家施設５での電力の使用状況に関する電力情報の表示を、より有効に活用できる、という利点がある。
【００９８】
また、本実施形態のように、情報端末装置１は、通知画面１００を表示する表示部１１を備えていることが好ましい。これによれば、通知画面１００は、情報端末装置１自身の表示部１１に表示されるので、情報端末装置１の所有者（顧客）は、気軽に通知画面１００を見ることができる。
【００９９】
また、本実施形態のように、判定情報１０１は、複数の分岐回路のうちの少なくとも１つの分岐回路からなる判定用回路についての計測値の時間経過に伴う変化に基づいて判定システム３０で判定された判定結果を表していることが好ましい。この場合、特定回路は、判定用回路と少なくとも一部が重複していることが好ましい。これにより、判定情報１０１の判定の基礎とされた判定用回路の少なくとも一部については、特定回路として、判定情報１０１と一緒に表示される電力情報１０２において計測値の時系列データが示されることになる。したがって、通知画面１００を見た顧客は、判定システム３０で判定された判定結果が正しいことを、計測システム２０の計測値の時系列データを基に確かめることができる。また、複数の分岐回路のうちのいずれの分岐回路を判定用回路とするかを顧客が設定している場合には、判定用回路の設定が適当か否かを、顧客が判断できるという利点もある。
【０１００】
この場合に、判定情報１０１は、需要家施設５の使用者の異常の有無の判定結果を表す情報であることが好ましい。これにより、本実施形態の「見守りチェック」のように、需要家施設５の使用者の異常の有無を判定する場合においても、判定の基礎とされた判定用回路の計測値の時系列データが電力情報１０２に含めて表示されることで、判定結果の確からしさが向上する。
【０１０１】
また、この場合に、判定情報１０１が異常の発生を表している場合には、特定の連絡先に対する連絡を促すガイド情報を判定情報１０１と併せて通知画面１００に表示させることが好ましい。これにより、需要家施設５の使用者に異常が発生した場合、顧客は、サービス会社などの特定の連絡先に、迅速に連絡をとることができる。なお、本実施形態においては、ガイド情報は第１連絡先ボタン１０９および第２連絡先ボタン１１０からなる。
【０１０２】
また、判定情報１０１は、需要家施設５の使用者が対象期間において需要家施設５内に存在するか否かの判定結果を表す情報であることが好ましい。これにより、本実施形態の「帰宅チェック」のように、需要家施設５の使用者の帰宅の有無を判定する場合においても、判定の基礎とされた判定用回路の計測値の時系列データが電力情報１０２に含めて表示されることで、判定結果の確からしさが向上する。
【０１０３】
また、判定情報１０１は、需要家施設５の使用者が睡眠中か否かの判定結果を表す情報であることが好ましい。これにより、本実施形態の「おやすみチェック」のように、需要家施設５の使用者の就寝を判定する場合においても、判定の基礎とされた判定用回路の計測値の時系列データが電力情報１０２に含めて表示されることで、判定結果の確からしさが向上する。
【０１０４】
この場合に、電力情報１０２については、判定情報１０１において需要家施設５の使用者が睡眠中と判定されている睡眠期間と、睡眠中でないと判定されている覚醒期間とで、異なる態様となるように通知画面１００に表示させることが好ましい。これにより、電力情報において、顧客は、需要家施設５の使用者が寝ている睡眠期間、需要家施設５の使用者が起きている覚醒期間を、電力情報１０２上で容易に区別して把握できる。
【０１０５】
あるいは、判定情報１０１は、入力受付装置８に対する需要家施設５の使用者の操作に基づいて判定システム３０で判定され、需要家施設５の使用者が睡眠中か否かの判定結果を表す情報であってもよい。たとえば「おやすみチェック」の判定情報１０１において在宅中の全ての住人が睡眠中であることが示されている一方で、電力情報１０２において電気ヒータが使用されていることが示されている場合、顧客に電力ヒータの消し忘れを通知することができる。このように、判定システム３０が計測システム２０の計測値に基づいて判定を行っていない場合でも、電力情報１０２は、判定情報１０１と一緒に通知画面１００に表示されることによって、単なる電力の使用状況の把握以外に、有効に活用可能である。
【０１０６】
また、本実施形態のように、電力情報１０２については、第１の軸を時刻とし、第２の軸を計測値としたグラフ形式で通知画面１００に表示させることが好ましい。この構成によれば、計測システム２０の計測値の変化の傾向が把握しやすいという利点がある。
【０１０７】
ところで、本実施形態の情報端末装置１の制御方法は、コンピュータを主構成とする情報端末装置（スマートフォン）１において、ＣＰＵがプログラムを実行することによって実現される。
【０１０８】
すなわち、プログラムは、需要家施設５における複数の分岐回路の各々について、消費電力と消費電力量との少なくとも一方を計測値として計測する計測システム２０から計測値を取得可能に構成された情報端末装置１を表示制御部１２として機能させる。ここで、表示制御部１２は、需要家施設５の使用者の状態に関して判定システム３０で判定された判定結果を表す判定情報１０１を表示部１１の通知画面１００に表示させる。さらに、表示制御部１２は、通知画面１００に、複数の分岐回路のうちの少なくとも１つの分岐回路からなる特定回路について、計測値の時系列データからなる電力情報１０２を判定情報１０１と併せて表示させる。
【０１０９】
したがって、このプログラムによれば、需要家施設５での電力の使用状況に関する電力情報の表示を、より有効に活用できる、という利点がある。
【０１１０】
また、上述したような情報端末装置１の制御方法は、本実施形態のように、表示制御部１２と、表示制御部１２にて制御される表示部１１とを備える表示システム１０にて実現可能である。表示制御部１２は、需要家施設５における複数の分岐回路の各々について、消費電力と消費電力量との少なくとも一方を計測値として計測する計測システム２０から計測値を取得可能に構成される。ここで、表示制御部１２は、需要家施設５の使用者の状態に関して判定システム３０で判定された判定結果を表す判定情報１０１を表示部１１の通知画面１００に表示させる。さらに、表示制御部１２は、通知画面１００に、複数の分岐回路のうちの少なくとも１つの分岐回路からなる特定回路について、計測値の時系列データからなる電力情報１０２を判定情報１０１と併せて表示させる。
【０１１１】
このように構成される表示システム１０によれば、需要家施設５での電力の使用状況に関する電力情報の表示を、より有効に活用できる、という利点がある。
【０１１２】
（５）変形例
本実施形態では、戸建住宅を需要家施設の一例として説明しているが、この例に限らず、需要家施設は、集合住宅の各住戸などの戸建住宅以外の住宅、あるいは事務所、店舗等の被住宅であってもよい。
【０１１３】
また、情報端末装置１は、スマートフォンに限らず、タブレット端末等のスマートフォン以外の携帯情報端末、あるいはパーソナルコンピュータ、スマートテレビ等のネットワークに接続可能な情報端末装置であってもよい。
【０１１４】
また、表示システム１０は、本実施形態では情報端末装置１によって構成されているが、この構成に限らず、表示部１１と表示制御部１２とを備え、本実施形態の表示システム１０と同等の機能を実現できる構成であればよい。たとえば表示システム１０は、１つの装置に限らず複数の装置によって構成されてもよい。つまり、表示システム１０は一例として、情報端末装置１とサーバ装置３とで構成されていてもよいし、情報端末装置１とサーバ装置３とコントローラ２３とで構成されていてもよい。このように、表示システム１０が複数の装置で構成される場合、通知画面１００の生成は、たとえばサーバ装置３など、情報端末装置１以外の装置で行ってもよい。この場合、情報端末装置１は、サーバ装置３から提供される画面を表示するブラウザとして機能する。
【０１１５】
さらに、情報端末装置１とは別に、たとえばスマートテレビ等の外部表示装置が設けられている場合には、情報端末装置１は、表示制御部１２によって外部表示装置の表示部を制御して、外部表示装置に通知画面１００を表示させるように構成されていてもよい。具体的には、情報端末装置１は、たとえばケーブルによって外部表示装置と接続され、あるいはＬＡＮ等のネットワーク経由で外部表示装置と接続され、映像信号を外部表示装置へ伝送することで外部表示装置の表示部に通知画面１００を表示させる。すなわち、情報端末装置１は、自身の表示部１１に通知画面１００を表示する構成に限らず、外部表示装置の表示部に通知画面１００を表示させる構成であってもよい。このように外部表示装置の表示部に通知画面１００を表示させる場合には、情報端末装置１は表示部１１を備えていていなくてもよい。この場合、外部表示装置も表示システム１０の構成要素に含まれることになる。
【０１１６】
同様に、計測システム２０および判定システム３０の構成についても、本実施形態で説明した構成に限らない。たとえば、判定システム３０は、サーバ装置３とコントローラ２３とを構成要素としてもよい。表示システム１０、計測システム２０、および判定システム３０は、それぞれクラウド（クラウドコンピューティング）によって実現されてもよい。
【０１１７】
また、情報端末装置１は、本実施形態のように計測システム２０で計測された計測値を、サーバ装置３を介して取得する構成に限らず、計測システム２０から計測値を取得可能に構成されていればよい。たとえば、情報端末装置１は、計測値については計測システム２０から直接取得し、判定結果については判定システム３０から直接取得するように構成されていてもよい。あるいは、１つのシステムが計測システム２０と判定システム３０とで共用されている場合、情報端末装置１は、判定システム（計測システム２０）３０から計測値を取得するように構成されていてもよい。
【０１１８】
また、本実施形態では、情報端末装置（表示システム１０）１−計測システム２０間の通信経路と、情報端末装置（表示システム１０）１−判定システム３０間の通信経路とは、共通のネットワーク４を含んでいるが、この構成に限らない。つまり、情報端末装置１−計測システム２０間の通信経路と、情報端末装置１−判定システム３０間の通信経路とは、別々のネットワークによって構成されていてもよい。
【０１１９】
また、情報端末装置１は、携帯電話網を介してネットワーク４に接続される構成に限らない。たとえば需要家施設５内で使用される場合には、情報端末装置１は、ルータ７との間でＷｉ−Ｆｉ（登録商標）に準拠した近距離無線通信を行うことにより、ルータ７を介してネットワーク４に接続されてもよい。
【０１２０】
また、判定情報１０１は、テキスト形式に限らず、たとえばアイコンの状態（色、形状、模様等）で判定結果を表してもよい。電力情報１０２は、グラフ形式に限らず、たとえば表形式で、計測システム２０の計測値を数値で表してもよい。
【０１２１】
また、「見守りチェック」の通知画面１００において、判定情報１０１が住人の異常の発生を表している場合、特定の連絡先に対する連絡を促すためのガイド情報が通知画面１００に表示されればよい。すなわち、ガイド情報は、第１連絡先ボタン１０９および第２連絡先ボタン１１０のように特定の連絡先へ発呼するためのアイコンに限らず、たとえば単に特定の連絡先の電話番号を表す表示であってもよい。
【０１２２】
また、本実施形態では、電力情報１０２は、複数の分岐回路についての計測値の時系列データであるが、この例に限らず、少なくとも１つの分岐回路についての計測値の時系列データを含んでいればよい。たとえば、電力情報１０２は、１つの分岐回路のみについての計測値の時系列データであってもよいし、分岐回路および幹線についての計測値の時系列データであってもよい。
【０１２３】
また、計測システム２０は、本実施形態のように分電盤６のキャビネット内に計測ユニット２１が設けられた構成に限らず、たとえば分電盤６のキャビネット外に計測ユニット２１が設けられた構成であってもよい。さらには、分岐回路に含まれるコンセント（アウトレット）に計測装置が内蔵された構成、あるいはコンセントと電気機器との間に計測装置が接続される構成の計測システム２０であってもよい。
【符号の説明】
【０１２４】
１  情報端末装置
４  ネットワーク
５  需要家施設
１０  表示システム
１１  表示部
１２  表示制御部
２０  計測システム
３０  判定システム
１００  通知画面
１０１  判定情報
１０２  電力情報
１０９  第１連絡先ボタン（ガイド情報）
１１０  第２連絡先ボタン（ガイド情報）
【図１】
2016177494.tif 000003
【図２】
2016177494.tif 000004
【図３】
2016177494.tif 000005
【図４】
2016177494.tif 000006
【図５】
2016177494.tif 000007
【図６】
2016177494.tif 000008
【図７】
2016177494.tif 000009
【図８】
2016177494.tif 000010